(57)【特許請求の範囲】
【請求項１】
一端面および他端面が開口し、かつ側面に窓孔が開口された扁平な箱形を呈するケース本体と、前記ケース本体の前記一端面側の開口部より前記ケース本体内に挿脱自在に挿入収容され、かつ前記ケース本体の前記窓孔と対向する側面に、内側へ凹入する凹段面が形成された扁平な箱形を呈するシャーシと、実装された電子部品の表示部や操作部が、前記凹段面に開口された取付け孔より突出するように前記シャーシ内に収容されたプリント基板と、前記ケース本体の前記一端面側の前記開口部を覆うように前記シャーシの端面に取付けられたカバーとを具備したことを特徴とする電子装置。
【請求項２】
前記ケース本体内に収容された前記シャーシの前記凹段面と前記ケース本体の前記側面との間に生じる隙間を塞ぐように、前記窓孔の周辺部に沿って隠し板を設けてなる請求項１記載の電子装置。
【発明の詳細な説明】
【０００１】
【発明の属する技術分野】
この発明は箱形ケースを有する据置型や携帯型の電子装置に関する。
【０００２】
【従来の技術】
従来小型の据置型電子装置や、携帯型電子装置の多くは、金属製の箱形ケース内に、電子部品などが実装されたプリント基板などを収容しており、箱形のケースとしては、例えば図６及び図７に示すような構造のものが採用されている。
【０００３】
すなわち金属により形成された扁平な角箱状のケース本体ａは、一端面と他端面が開口されていて、このケース本体ａの一端側開口部ｂよりケース本体ａ内にシャーシｃが挿入できるようになっている。
【０００４】
前記シャーシｃも、金属により上面が開口された扁平な箱形に形成されていて、内部にプリント基板ｄが収容されており、シャーシｃの端面板ｅには、プリント基板ｄに取付けられたスイッチなどの操作部ｆや、ＬＥＤなどの表示部ｇが突出する角孔や丸孔よりなる取付け孔ｈ，ｉが開口されている。
【０００５】
また前記ケース本体ａの一端開口部ｂには、カバーｊが着脱自在に取付けられていて、このカバーｊにも、前記シャーシｃの取付け孔ｈ，ｉと合致する位置に、操作部ｆや、表示部ｇが突出する窓孔ｋ，ｍが開口されている。
【０００６】
前記構成された電子装置を組立てるに当たっては、まずシャーシｃ内にプリント基板ｄを収容して、ビスなどの固着具ｎによりプリント基板ｄをシャーシｃに取付けたら、シャーシｃの端面板ｅにカバーｊを取付ける。
【０００７】
このときカバーｊに開口された窓孔ｋ，ｍより操作部ｆや、表示部ｇを突出させる。
【０００８】
以上のようにしてプリント基板ｄとカバーｊをシャーシｃに取付けたら、ケース本体ａの開口部ｂよりシャーシｃをケース本体ａ内に挿入し、ケース本体ａの他端面側よりシャーシｃの端面に固着具ｎを螺挿して、ケース本体ａにシャーシｃを固定するもので、これによって図６に示すようにケース本体ａの前面開口部ｂをカバーｊにより覆うことができるようになる。
【０００９】
【発明が解決しようとする課題】
しかし前記従来の箱形ケース構造を採用した電子装置では、シャーシｃの側面などにスイッチなどの操作部ｆや、ＬＥＤなどの表示部ｇなどを設けた場合、ケース本体ａ内へシャーシｃを挿入する際、これら操作部ｆや、表示部ｇがケース本体ａの側板と干渉して、ケース本体ａ内にシャーシｃを挿入することができなくなるため、操作部ｆや、表示部ｇなどは、シャーシｃの一端面や他端面以外には設置することができず、設置する場所に制限を受けるなどの不具合があった。
【００１０】
この発明はかかる従来の不具合を改善するためになされたもので、ケース本体の側面にも電子部品の表示部や操作部を設置できるようにした電子装置を提供することを目的とするものである。
【００１１】
【課題を解決するための手段】
この発明は前記目的を達成するため、ケース本体内に挿入するシャーシの側面に凹段面を設けて、この凹段面に開口した取付け孔より電子部品の表示部や操作部を突出させることにより、ケース本体内へシャーシを挿入する際、表示部や操作部がケース本体の側面と干渉しないようにしたもので、これによってケース本体の側面にも、電子部品の表示部や操作部を設置することができる。
【００１２】
【発明の実施の形態】
前記目的を達成するため請求項１記載の発明は、一端面および他端面が開口し、かつ側面に窓孔が開口された扁平な箱形を呈するケース本体と、前記ケース本体の一端面側の開口部よりケース本体内に挿脱自在に挿入収容され、かつ前記ケース本体の窓孔と対向する側面に、内側へ凹入する凹段面が形成された扁平な箱形を呈するシャーシと、実装された電子部品の表示部や操作部が、前記凹段面に開口された取付け孔より突出するようにシャーシ内に収容されたプリント基板と、前記ケース本体の一端面側の開口部を覆うようにシャーシの端面に取付けられたカバーとにより構成したものである。
【００１３】
前記構成により、ケース本体の開口部よりケース本体内へシャーシを挿入する際、凹段面の取付け孔より突出する表示部や操作部がケース本体の側面と干渉することがないので、ケース本体内へシャーシを容易に収容することができる。
【００１４】
前記目的を達成するため請求項２記載の発明は、前記ケース本体内に収容された前記シャーシの前記凹段面と前記ケース本体の前記側面との間に生じる隙間を塞ぐように、前記窓孔の周辺部に沿って隠し板を設けたものである。
【００１５】
前記構成により、ケース本体内に収容されたシャーシの凹段面とケース本体の側面間に生じる隙間が隠し板により塞がれるため、外観が向上すると共に、隙間よりケース内にゴミなどの異物が侵入することがない。
【００１６】
以下この発明の実施の形態を図１ないし図５に示す図面を参照して詳述する。
【００１７】
図１は電子装置の斜視図、図２は同分解斜視図、図３は同正面図、図４は図３のＡ−Ａ線に沿う断面図、図５は図３のＢ−Ｂ線に沿う断面図である。
【００１８】
これら図において１はケース本体、２はシャーシ、３はカバーで、何れも金属板を成形することにより形成されている。
【００１９】
前記ケース本体１は、一端面と他端面が開口する扁平な箱形をなしていて、一端側開口部１ａより内部にシャーシ２が挿入できるようになっている。
【００２０】
前記シャーシ２は、ケース本体１内に収容可能な扁平な箱形に形成されていて、両側板２ａと、一方の端面板２ｂの一部を内側へ折り曲げることにより複数の取付け片２ｃ，２ｄが形成されており、これら取付け片２ｃ，２ｄに電子部品が実装されたプリント基板４がビスなどの固着具５により取付けられている。
【００２１】
また前記シャーシ２の一方の側板２ａには凹段面２ｅが、一端側の一部を除くほぼ全域に形成されている。
【００２２】
上記凹段面２ｅは、側板２ａを段曲げ部２ｆより内側へ凹入させることにより形成したもので、この凹段面２ｅには、前記プリント基板４の側縁に沿って取付けられた電子部品、例えばＬＥＤなどの表示手段６の表示部６ａや、スイッチ７及びボリウム８などの操作部７ａ，８ａが突出する丸孔や角孔などの取付け孔２ｇ，２ｈが開口されている。
【００２３】
そしてこれら取付け孔２ｇ，２ｈより突出される表示部６ａや操作部７ａ，８ａの先端部は、シャーシ２の側板２ａの外側面より外側へ突出しないように段曲げ部２ｆの高さが予め設定されていると共に、前記凹段面２ｅに対向するケース本体１の一方の側板１ｂには、長方形の窓孔１ｃが側板１ｂの長手方向に沿って開口されていて、この窓孔１ｃより、前記シャーシ２の取付け孔２ｇ，２ｈより突出する表示部６ａを視認したり、操作部７ａ，８ａを操作することができるようになっている。
【００２４】
一方ケース本体１内にシャーシ２を挿入した際、シャーシ２の凹段面２ｅによってケース本体１の側板１ｂ内面と、シャーシ２の凹段面２ｅとの間に隙間が生じないよう、ケース本体１の側板１ｂ内面には、段曲げ部２ｆの高さとほぼ同じ厚さの目隠し板１ｄが接着や溶接などの手段で固着されている。
【００２５】
前記目隠し板１ｄは側板１ｂに開口された窓孔１ｃの長辺部両側と、一方の短辺部に沿って設けられていて、ケース本体１内にシャーシ２を挿入する際、シャーシ２の凹段面２ｅに突出する表示部６ａや操作部７ａ，８ａが目隠し板１ｄと干渉しないよう、窓孔１ｃの他方の短辺部が開放されており、この開放部１ｅをシャーシ２の段曲げ部２ｆが閉鎖することにより、この部分にも隙間が生じないようになっている。
【００２６】
また前記シャーシ２の一方の端面板２ｂには、前記プリント基板４の一端側に取付けられた電子部品、例えばＡＶ端子やイヤホン端子などの端子類９，１０が突出する切欠き２ｊ，２ｋが形成されていると共に、この端面板２ｂにビスなどの固着具１２により前記カバー３が取付けられている。
【００２７】
前記カバー３は、ケース本体１の開口部１ａを覆う大きさに形成されていて、表面には前記端子類９，１０が突出する窓孔３ａ，３ｂが開口されている。
【００２８】
なおカバー３には従来と同様に、プリント基板４に取付けられた電子部品、例えばＬＥＤの表示部や、スイッチの操作部が突出する窓孔を開口してもよい。
【００２９】
また図５中２ｍはケース本体１内にシャーシ２を挿入した際、ケース本体１の他端面に当接して、ケース本体１に対してシャーシ２を位置決めする位置決め部材を示す。
【００３０】
次に前記構成された電子装置の組立て時の作用を説明する。
【００３１】
組立てに当たってはまず、シャーシ２内にプリント基板４を収容して、固着具５によりプリント基板４をシャーシ２の取付け片２ｃ，２ｄに固定する。
【００３２】
このときプリント基板４の側縁に沿って取付けられた表示手段６の表示部６ａや、スイッチ７及びボリウム８などの操作部７ａ，８ａが凹段面２ｅの取付け孔２ｇ，２ｈより突出するようシャーシ２に対してプリント基板４を位置合わせする。
【００３３】
次にシャーシ２の端面板２ｂに固着具１２によりカバー３を取付けるが、このときも、プリント基板４の端縁に沿って取付けられたＡＶ端子やイヤホン端子の端子類９，１０がカバー３の窓孔３ａ，３ｂより突出するよう位置合わせをして、シャーシ２にカバー３を取付ける。
【００３４】
以上のようにしてシャーシ２にプリント基板４及びカバー３を取付けたら、ケース本体１の開口部１ａよりケース本体１内にシャーシ２を挿入するが、このときシャーシ２の凹段部２ｅに設けられた取付け孔２ｇ，２ｈより突出することがないので、表示部６ａや操作部７ａ，８ａがケース本体１の側板１ｂと干渉することなく、ケース本体１内へシャーシ２を容易に挿入することができる。
【００３５】
シャーシ２の後面に突設された位置決め部材２ｍが、ケース本体１の後面に当接するまでケース本体１内へシャーシ２を挿入したら、ケース本体１の他方の端面より固着具１３をシャーシ２の端面に螺挿して、ケース本体１にシャーシ２を固定するもので、シャーシ２の端面板２ｂに固定されたカバー３が、ケース本体１の開口部１ａを覆うと共に、ケース本体１の側板１ｂ内面に固着された隠し板１ｄが、側板１ｂ内面と凹段面２ｅ間の隙間を塞ぐため、ケース本体１の外側より隙間が見えず、これによって外観が向上する上、隙間よりケース本体１内へゴミなどの異物が浸入するのを防止することができるようになる。
【００３６】
またケース本体１側面の窓孔１ｃより表出する表示部６ａや、操作部７ａ，８ａは、ケース本体１の側板１ｂ外側面より外側へ突出することがないので、電子装置の使用中に何かに引っ掛けたり、誤って落下させたために表示部６ａや、操作部７ａ，８ａが誤動作したり、表示部６ａや操作部７ａ，８ａが破損するなどの心配がない。
【００３７】
【発明の効果】
この発明は以上詳述したように、ケース本体内に挿入するシャーシの側面に内側へ凹入する凹段面を設けて、この凹段面に開口した取付け孔に、プリント基板に実装された電子部品の表示部や操作部を突出させたことから、ケース本体の開口部よりケース本体内へシャーシを挿入する際、凹段面の取付け孔より突出する表示部や操作部がケース本体の側面と干渉することがないので、ケース本体内へシャーシを容易に収容することができる。
【００３８】
またケース本体の窓孔より表出する表示部や操作部は、ケース本体の側面より外側へ突出することがないので、電子装置の使用中に何かに引っ掛けたり、電子装置を誤って落下させたために表示部や操作部が誤動作したり、表示部や操作部が破損するなどの心配もない。
【００３９】
さらにケース本体内に収容されたシャーシの凹段面とケース本体の側面間に生じる隙間を塞ぐように、窓孔の周辺部に沿って隠し板を設けたことから、ケース本体内に収容されたシャーシの凹段面とケース本体の側面間に生じる隙間が隠し板により塞がれるため、外観が向上すると共に、隙間よりケース本体内へゴミなどの異物が浸入するのを確実に防止することができる。
【図面の簡単な説明】
【図１】この発明の実施の形態になる電子装置の斜視図
【図２】この発明の実施の形態になる電子装置の分解斜視図
【図３】この発明の実施の形態になる電子装置の正面図
【図４】図３のＡ−Ａ線に沿う断面図
【図５】図３のＢ−Ｂ線に沿う断面図
【図６】従来の電子装置の斜視図
【図７】従来の電子装置の分解斜視図
【符号の説明】
１    ケース本体
１ａ  開口部
１ｂ  側板
１ｃ  窓孔
１ｄ  隠し板
１ｅ  開放部
２    シャーシ
２ａ  側板
２ｂ  端面板
２ｃ，２ｄ  取付け片
２ｅ  凹段面
２ｆ  段曲げ部
２ｇ，２ｈ  取付け孔
２ｊ，２ｋ  切欠き
２ｍ  位置決め部材
３    カバー
３ａ，３ｂ  窓孔
４    プリント基板
５    固着具
６    ＬＥＤ
６ａ  表示部
７    スイッチ
７ａ  操作部
８    ボリウム
８ａ  操作部
９，１０    端子類
１２，１３  固着具
【図１】
0004310002.tif 000002
【図２】
0004310002.tif 000003
【図３】
0004310002.tif 000004
【図４】
0004310002.tif 000005
【図５】
0004310002.tif 000006
【図６】
0004310002.tif 000007
【図７】
0004310002.tif 000008